(57)【要約】【課題】木材から成る躯体の出入口に挿入された三方枠の傾きを修正するわく調整金具の材料コストの低減と絞り加工の容易化とを図ることである。【解決手段】出入口の内周に取付られる固定金具２０を底板２１の外周対向位置に一対の円弧状のガイド板２２を設け、各ガイド板２２の両側に外向きに回り止め片２６を設けた構成として材料コストの低減と絞り加工の容易化を図る。三方枠に取付けられ、固定金具２０の底板２１に支持された調整ねじ２５の回転によって軸方向に移動される可動金具３０を細長い天板３１の両端の円弧縁に一対の円弧状のガイド板３２を設けた構成として材料コストの低減と絞り加工の容易化を図る。可動金具３０のガイド板３２を固定金具２０のガイド板２２の外側に配置し、そのガイド板２２の両側に配置される前記回り止め片２６によって可動金具３０を回り止めする。可動金具３０の天板３１に前記調整ねじ２５がねじ係合されるねじ筒３４を設け、調整ねじ２５の回転によって可動金具３０を軸方向に移動させて三方枠３の傾きを修正する。【選択図】　図５
2004068507.tif 000002
【特許請求の範囲】
【請求項１】
躯体側に取付けられる固定金具と、枠側に取付けられる可動金具とを有し、前記固定金具は外周部に取付け用の長孔を有する円形底板の外周対向位置に一対の円弧状のガイド板を設けた構成とされ、前記可動金具は前記長孔と対応する位置にドライバ挿入孔が形成された細長い天板の両端の円弧縁に前記ガイド板の外側に重なる円弧状のガイド板を設けた構成とされ、内外で重なり合う一方のガイド板の両側に他方のガイド板の両側縁に対向して可動金具を回り止めする一対の回り止り片を設け、前記固定金具の底板中央部に調整ねじの一端部を回転自在に支持し、前記可動金具の天板には前記調整ねじがねじ係合されるねじ筒を設けたわく調整金具。
【請求項２】
前記可動金具のガイド板に弾性を有する切り起こしの係合爪を設けた請求項１に記載のわく調整金具。
【発明の詳細な説明】
【０００１】
【発明の属する技術分野】
この発明は、主として扉を支持する三方枠の傾きを修正するわく調整金具に関するものである。
【０００２】
【従来の技術】
木材から成る躯体の出入口に木材から成る三方枠を取付け、その三方枠によって前記出入口の開閉用の扉を開閉自在に支持することは従来から普通に行われている。
【０００３】
上記のような扉の支持構造においては、出入口の内側に設けられる三方枠の上枠あるいは左右一対の縦枠に傾きがあると、扉が干渉してスムーズに開閉させることができない場合があるため、扉の取付け前に三方枠の傾きを修正することが行われる。その傾き修正を簡単に行うことができるようにしたわく調整金具が既に提案されている。
【０００４】
図６および図７は既に提案されたわく調整金具を示す。このわく調整金具は、躯体の出入口の内周に取付けられる固定金具４０の底板４１に調整ねじ４２を回転自在に設け、三方枠の縦枠あるいは上枠に取付けられる可動金具４３の天板４４には上記調整ねじ４２がねじ係合されるねじ筒４５を形成し、前記調整ねじ４２の回転により可動金具４３を調整ねじ４２の軸方向に移動させて、縦枠あるいは上枠の傾きを修正するようにしている。
【０００５】
上記わく調整金具においては、調整ねじ４２の回転時に可動金具４３が共回りすると可動金具４３を軸方向に移動させることができないため、固定金具４０および可動金具４３の双方に内外に嵌合する周壁４６、４７を設け、各周壁４６、４７に平坦部４８、４９を設け、この平坦部４８、４９によって固定金具４０と可動金具４３を相対的に回り止めして軸方向へのみ移動できるようにしている。
【０００６】
【発明が解決しようとする課題】
ところで、図６および図７に示す従来のわく調整金具においては、固定金具４０および可動金具４３の双方が底板４１あるいは天板４４の外周に平坦部４８、４９を有する周壁４６、４７を設けた構成であるため、材料コストが高く、また、絞り加工の際に、周壁４６、４７の根元にクラックが発生することが多く、加工がきわめて困難であった。
【０００７】
この発明の課題は、材料コストの安い絞り加工が容易なわく調整金具を提供することである。
【０００８】
【課題を解決するための手段】
上記の課題を解決するために、この発明においては、躯体側に取付けられる固定金具と、枠側に取付けられる可動金具とを有し、前記固定金具は外周部に取付け用の長孔を有する円形底板の外周対向位置に一対の円弧状のガイド板を設けた構成とされ、前記可動金具は前記長孔と対応する位置にドライバ挿入孔が形成された細長い天板の両端の円弧縁に前記ガイド板の外側に重なる円弧状のガイド板を設けた構成とされ、内外で重なり合う一方のガイド板の両側に他方のガイド板の両側縁に対向して可動金具と回り止めする一対の回り止り片を設け、前記固定金具の底板中央部に調整ねじの一端部を回転自在に支持し、前記可動金具の天板には前記調整ねじがねじ係合されるねじ筒を設けた構成を採用したのである。
【０００９】
上記の構成から成るわく調整金具においては、固定金具が底板の外周対向位置に一対のガイド板を設けた構成であり、一方、可動金具が細長い天板の両端の円弧縁に一対のガイド板を設けた構成であるため、底板あるいは天板の外周に周壁を設けた従来のわく調整金具に対して材料が少なく、コストの安い絞り加工の容易なわく調整金具を提供することができる。
【００１０】
ここで、可動金具のガイド板に弾性を有する切り起こしの係合爪を設けておくと、枠側に形成された円形の取付孔に可動金具を挿入すると、取付孔の内周に係合爪が係合して可動金具が抜け止めされるため、可動金具をきわめて簡単に取付けることができる。
【００１１】
【発明の実施の形態】
以下、この発明の実施の形態を図１乃至図５に基づいて説明する。図１および図２に示すように、木材から成る躯体１は出入口２を有し、その出入口２の内側に木材から成る三方枠３が挿入されている。
【００１２】
三方枠３は、上枠３ａと、左右一対の縦枠３ｂとから成り、その三方枠３の外周と出入口２の内周間には隙間４が設けられている。一対の縦枠３ｂの下端部間には横木５が渡されている。この横木５は必要に応じて設けられる。
【００１３】
三方枠３の上枠の両端部と出入口２の内周の対向部間、および三方枠３の縦枠３ｂの上下端部と出入口２の内周の対向部間には、上枠３ａおよび縦枠３ｂの傾きを修正するわく調整金具１０が組込まれている。
【００１４】
図２乃至図５はわく調整金具を示す。わく調整金具１０は、躯体１の出入口２に取付けられる固定金具２０と、三方枠３側に取付けられる可動金具３０とを有している。
【００１５】
固定金具２０は円形の底板２１の外周対向位置に一対の円弧状のガイド板２２を設けた金属板の絞り加工品から成り、前記底板２１の外周部にはねじ挿入用の長孔２３が設けられている。また、底板２１の中央部には膨出部２４が設けられ、その膨出部２４に調整ねじ２５の一端部が回動自在に支持されている。
【００１６】
さらに、各ガイド板２２の両側部には外側方に向く一対の回り止め片２６が設けられている。
【００１７】
可動金具３０は細長い天板３１の両端の円弧縁に一対の円弧状のガイド板３２を設けた金属板の絞り加工品から成り、前記ガイド板３２は固定金具２０のガイド板２２の外側に嵌合されて前記回り止め片２６間に納まり、その回り止め片２６によって可動金具３０は固定金具２０に対して相対的に回転することが防止されている。
【００１８】
可動金具３０における天板３１には固定金具２０の底板２１に形成された長孔２３に対応してドライバ挿入孔３３が設けられている。また、天板３１の下面中央部にはねじ筒３４が形成され、そのねじ筒３４に前記調整ねじ２５がねじ係合されている。
【００１９】
可動金具３０における一対のガイド板３２のそれぞれには弾性を有する切り起こしの係合爪３５が形成されている。
【００２０】
上記の構成から成るわく調整金具の可動金具３０は、図２に示すように、三方枠３に形成された円形孔６に圧入され、その円形孔６の内周に対する係合爪３５の係合によって取付け状態に保持される。
【００２１】
わく調整金具１０の可動金具３０の取付後、出入口２内に三方枠３が挿入され、その挿入後において、三方枠３に形成された戸当り取付け用溝７から可動金具３０のドライバ挿入孔３３にドライバを挿入し、固定金具２０の長孔２３に予め挿入された取付ねじ２７に上記ドライバを係合して、その取付ねじ２７を出入口２の内周にねじ込むことにより固定金具２０が躯体１に固定される。
【００２２】
図２は三方枠３の縦枠３ｂと出入口２の内周間にわく調整金具１０を取付けた状態を示しており、その取付け状態において調整ねじ２５にドライバを係合して回転させると、可動金具３０が調整ねじ２５の軸方向に移動し、その移動によって縦枠３ｂの左右方向の傾きを修正することができる。
【００２３】
また、ドライバ挿入孔３３から挿入されるドライバによって固定金具２０を固定する取付ねじ２７を弛め、その取付ねじ２７に長孔２３の両端が当たる方向に固定金具２０を移動させることによって、縦枠３ｂの前後方向の傾きを修正することができる。
【００２４】
なお、上枠３ａと出入口２の内周間に組込まれたわく調整金具１０の調整ねじ２５を回転させることにより、上枠３ａの上下方向の傾きを修正することができると共に、取付ねじ２７を弛めて固定金具２０を前後方向に移動させることにより、上枠３ａの前後方向の傾きを修正することができる。
【００２５】
実施の形態で示すように、固定金具２０を円形底板２１の外周対向位置に一対の円弧状のガイド板２２を設けた構成とすることによって、底板の外周に周方向の一部に平坦部を有する周壁を設けた従来の固定金具に比較して材料コストの低減を図ることができると共に、絞り加工を容易とすることができる。
【００２６】
また、可動金具３０を細長い天板３１の両端の円弧縁に一対の円弧状のガイド板３２を設けた構成とすることによって、円形天板の外周に周方向の一部に平坦部を設けた従来の可動金具に比較して材料コストの低減を図ることができると共に、絞り加工を容易とすることができる。
【００２７】
実施の形態では、固定金具２０の各ガイド板２２の両側に外向きの回り止め片２６を設けたが、可動金具３０の各ガイド板３２の両側に内向きの回り止め片を設けて固定金具２０と可動金具３０が相対的に回転するのを防止するようにしてもよい。
【００２８】
【発明の効果】
以上のように、この発明においては、固定金具を底板の外周対向位置に一対の円弧状のガイド板を設けた構成とし、可動金具を細長い天板の両端の円弧縁に一対の円弧状のガイド板を設けた構成とし、固定部材のガイド板と可動部材のガイド板の一方のガイド板の両側に他方のガイド板の両側に対向する回り止め片を設けたので、わく調整金具の材料コストの低減と絞り加工の容易化を図ることができる。
【図面の簡単な説明】
【図１】この発明に係るわく調整金具の使用状態を示す正面図
【図２】図１のＩＩ−ＩＩ線に沿った断面図
【図３】この発明に係るわく調整金具の平面図
【図４】図３のＩＶ−ＩＶ線に沿った断面図
【図５】図３に示すわく調整金具の分解斜視図
【図６】従来のわく調整金具を示す縦断正面図
【図７】図６に示すわく調整金具の分解斜視図
【符号の説明】
１　躯体
３　三方枠
２０　固定金具
２１　底板
２２　ガイド板
２３　長孔
２５　調整ねじ
２６　回り止め片
３０　可動金具
３１　天板
３２　ガイド板
３３　ドライバ挿入孔
３４　ねじ筒
３５　係合爪
【図１】
2004068507.tif 000003
【図２】
2004068507.tif 000004
【図３】
2004068507.tif 000005
【図４】
2004068507.tif 000006
【図５】
2004068507.tif 000007
【図６】
2004068507.tif 000008
【図７】
2004068507.tif 000009